(57)【要約】【課題】  ホーム柵本体と扉体との隙間に指などが挟まってしまうことを防止するとともに、保守点検を安全に行うことのできるホーム柵装置を提供する。【解決手段】  駅のプラットホーム上に設置されるホーム柵本体２と、ホーム柵本体２の内部に設置されホーム柵本体２の端部から進退動作される扉体３と、ホーム柵本体２の端部に着脱自在に設けられ扉体３が通る扉用開口５が形成された側面カバー部材４と、側面カバー部材４の内側に扉体３の表面に接触するように設けられた保護部材７と、を備えている。【選択図】      図３
2011178356.tif 000002
【特許請求の範囲】
【請求項１】
駅のプラットホーム上に設置されるホーム柵本体と、
前記ホーム柵本体の内部に設置され前記ホーム柵本体の端部から進退動作される扉体と、
前記ホーム柵本体の端部に着脱自在に設けられ、前記扉体が通る扉用開口が形成された側面カバー部材と、
前記側面カバー部材の内側に前記扉体の表面に接触するように設けられた保護部材と、
を備えていることを特徴とするホーム柵装置。
【請求項２】
前記保護部材は、合成樹脂からなる植毛を備えた植毛部材であることを特徴とする請求項１に記載のホーム柵装置。
【請求項３】
前記側面カバー部材の前記扉用開口の両側部分には、認識部が設けられていることを特徴とする請求項１または請求項２に記載のホーム柵装置。
【請求項４】
前記側面カバー部材の前記扉用開口の上方には、扉動作報知ランプが設けられていることを特徴とする請求項１から請求項３のいずれか一項に記載のホーム柵装置。
【発明の詳細な説明】
【技術分野】
【０００１】
本発明はホーム柵装置に係り、特に、ホーム柵本体と扉体との隙間に指などが挟まってしまうことを防止することを可能としたホーム柵装置に関するものである。
【背景技術】
【０００２】
従来から、駅のプラットホームにおいては、通過列車の風圧により乗客が線路側に転落する等の不測の事故を防止するために、ホーム柵本体に進退自在に設けられ、列車の乗降ドアと連動して開閉動作される扉体を備えたホーム柵装置が設置されている。
【０００３】
このような従来のホーム柵装置においては、ホーム柵本体から開閉動作される扉体と、ホーム柵本体との隙間に、利用者の指などが挟まれたりしないように、このホーム柵本体と扉体との隙間に保護部材を設けることが行われている。
【０００４】
このような技術としては、従来から、例えば、ホーム柵本体の戸出入り口開口端部に、アルミ素材を押出し成形した目地の細溝部を嵌め込んでナットで固定し、この目地部分に、ホーム柵本体の戸出入り口部と可動扉の間に指を挟まれ難い所定形状の戸出入り口ゴムを設けるようにした技術が開示されている（例えば、特許文献１参照）。
【先行技術文献】
【特許文献】
【０００５】
【特許文献１】特開２００５−３２４５６２号公報
【発明の概要】
【発明が解決しようとする課題】
【０００６】
しかしながら、前記特許文献１に記載の技術においては、指を挟まれ難い形状の戸出入り口ゴムを設けることで、ホーム柵本体の戸出入り口部と可動扉に指を挟まれてしまうことを防止することは可能であるが、戸出入り口ゴムがホーム柵本体に装着されているので、戸出入り口ゴムの保守点検を行う場合、プラットホームの端に設置されたホーム柵本体付近で作業を行う必要があり、安全とはいえなかった。また、戸出入り口ゴムは、比較的硬いゴム製のため、戸出入り口ゴムが扉体と接触した場合に、扉体の表面が剥がれたりして、扉体に損傷を与えてしまうという問題を有している。
【０００７】
本発明は前記した点に鑑みてなされたものであり、ホーム柵本体と扉体との隙間に指などが挟まってしまうことを防止するとともに、保守点検を安全に行うことのできるホーム柵装置を提供することを目的とするものである。
【課題を解決するための手段】
【０００８】
本発明は前記目的を達成するために、請求項１の発明に係るホーム柵装置は、駅のプラットホーム上に設置されるホーム柵本体と、
前記ホーム柵本体の内部に設置され前記ホーム柵本体の端部から進退動作される扉体と、
前記ホーム柵本体の端部に着脱自在に設けられ、前記扉体が通る扉用開口が形成された側面カバー部材と、
前記側面カバー部材の内側に前記扉体の表面に接触するように設けられた保護部材と、
を備えていることを特徴とする。
【０００９】
請求項２に係る発明は、請求項１において、前記保護部材は、合成樹脂からなる植毛を備えた植毛部材であることを特徴とする。
【００１０】
請求項３に係る発明は、請求項１または請求項２において、前記側面カバー部材の前記扉用開口の両側部分には、認識部が設けられていることを特徴とする。
【００１１】
請求項４に係る発明は、請求項１から請求項３のいずれか一項において、前記側面カバー部材の前記扉用開口の上方には、扉動作報知ランプが設けられていることを特徴とする。
【発明の効果】
【００１２】
請求項１に係る発明によれば、ホーム柵本体の端部に着脱自在に設けられた側面カバー部材の内側に、保護部材を扉体の表面に接触するように設けるようにしているので、側面カバー部材に装着された保護部材により、扉用開口と扉体との間の隙間を塞ぐことができ、利用者の指などの挟まれ防止を図ることができるとともに、ホーム柵本体の内部への異物の侵入を確実に防止することができる。また、側面カバー部材に保護部材を取付けるようにしているので、ホーム柵本体から側面カバー部材を取り外すことにより、側面カバー部材と一体に保護部材をホーム柵本体から取り外すことができ、安全な場所で保護部材の保守点検を行うことができる。
【００１３】
請求項２に係る発明によれば、保護部材を合成樹脂からなる植毛を備えた植毛部材としているので、ゴムに比べて柔らかくすることができ、保護部材が扉体と接触した場合でも、扉体の損傷を防止することができる。
【００１４】
請求項３に係る発明によれば、側面カバー部材の扉用開口の両側部分に認識部を設けるようにしているので、認識部により利用者に扉体の開閉位置を確実に認識させることができ、注意を促すことができ、扉体の開閉動作時における扉体との接触事故などを確実に防止することができる。
【００１５】
請求項４に係る発明によれば、側面カバー部材の前記扉用開口の上方に扉動作報知ランプを設けるようにしているので、扉体が開閉動作する際に、扉動作報知ランプを点灯あるいは点滅させて、利用者に扉体の開閉動作が行われることを報知することにより、注意を促すことができ、扉体の開閉動作時における扉体との接触事故などを確実に防止することができる。
【図面の簡単な説明】
【００１６】
【図１】本発明に係るホーム柵装置の実施形態を示す正面図である。
【図２】本発明に係るホーム柵装置の実施形態を示す側面カバー部材の正面図である。
【図３】本発明に係るホーム柵装置の実施形態を示す側面カバー部材の横断面図である。
【発明を実施するための形態】
【００１７】
以下、本発明の実施の形態について図面を参照しながら説明する。
【００１８】
図１は、本発明に係るホーム柵装置の実施形態を示す正面図である。ホーム柵装置１は、列車に乗客が乗降するためのプラットホームの床面の線路側に設けられるものであり、ホーム柵装置１は、プラットホームに沿うように形成された箱型のホーム柵本体２と、列車がプラットホームの定位置に停車したときに、列車の乗降ドアと連動してホーム柵本体２の両側から開閉動作される扉体３とを備えている。
【００１９】
図２および図３に示すように、ホーム柵本体２の両端部には、ホーム柵本体２の両端部を被覆するための側面カバー部材４が着脱自在に装着されており、側面カバー部材４には、扉体３が開閉動作する際に扉体３が通り抜けるための扉用開口５が上下方向に延在するように形成されている。
【００２０】
また、側面カバー部材４の扉用開口５の両側縁には、側面カバー部材４の表面から内側に向けてほぼ直交する方向に延在する一対の支持部材６，６が取付けられており、これら各支持部材６には、側面カバー部材４の扉用開口５の周縁部に取付けられる取付部１０が形成されている。取付部１０の裏面側には、取付けボルトが一体に形成されており、取付けボルトを側面カバー部材４に形成された貫通孔（図示せず）に挿入した状態で、ナット１１により締め付けることにより、支持部材６を側面カバー部材４に固定するように構成されている。また、各支持部材６には、保護部材７を支持するための保護部材支持部８が形成されている。保護部材７としては、例えば、ポリプロピレンなどの合成樹脂からなる微細な毛が植毛された植毛部材が用いられる。この植毛部材は、扉用開口５の上下方向の全域にわたって設けられており、この植毛部材に植毛された毛の先端部が扉体３の表面に接触するように構成されている。
【００２１】
また、本実施形態においては、各支持部材６の取付部１０の表面には、扉用開口５に沿って上下方向に延在する認識部９が形成されている。認識部９は、例えば、鏡面状に形成されたり、あるいは黄色など目立つ色彩に着色されるように形成されており、これにより、扉用開口５部分の視認性を高めるように構成されている。
【００２２】
さらに、本実施形態においては、扉用開口５の上方には、扉動作報知ランプ１２が設けられており、この扉動作報知ランプ１２は、扉体が開閉動作する際に、点灯あるいは点滅されて、扉体３の開閉動作が行われることを報知するように構成されている。
【００２３】
次に、本実施形態の作用について説明する。
【００２４】
本実施形態においては、ホーム柵本体２から扉体３が開閉動作される際に、扉体３は、側面カバー部材４に設けられた保護部材７に接触しながら動作されるものであり、保護部材７により、扉用開口５と扉体３との間の隙間を塞ぐようになっている。そのため、扉用開口５と扉体３との間に、誤って利用者の指などが挟まってしまうことを確実に防止することができるものである。さらに、保護部材７により、扉用開口５からホーム柵本体２の内部に誇り、雨滴あるいは虫などの異物が侵入してしまうことを防止することができる。また、側面カバー部材４の扉用開口５の両側部分に認識部９を形成するようにしているので、利用者に扉体３の開閉位置を確実に認識させることができ、注意を促すことができる。また、本実施形態においては、扉体３が開閉動作する際に、扉動作報知ランプ１２を点灯あるいは点滅させ、これにより、利用者に扉体３の開閉動作が行われることを報知することができるものである
【００２５】
また、保護部材７の保守点検を行う場合には、ホーム柵本体２から側面カバー部材４を取り外すことにより、側面カバー部材４と一体に保護部材７および認識部９をホーム柵本体２から取り外すことができるので、従来のように、プラットホームの端において、ホーム柵本体２の内部に装着された保護部材７を保守点検する必要がなく、安全な場所で保護部材７および認識部９の保守点検を行うことができる。
【００２６】
以上述べたように、本実施形態においては、側面カバー部材４に装着された保護部材７により、扉用開口５と扉体３との間の隙間を塞ぐようにしているので、利用者の指などの挟まれ防止を図ることができるとともに、ホーム柵本体２の内部への異物の侵入を確実に防止することができる。また、認識部９により利用者に扉体３の開閉位置を確実に認識させることができるとともに、扉体３が開閉動作する際に、扉動作報知ランプ１２を点灯あるいは点滅させて、利用者に扉体３の開閉動作が行われることを報知することにより、注意を促すことができるので、扉体３の開閉動作時における扉体３との接触事故などを確実に防止することができる。
【００２７】
さらに、ホーム柵本体２から側面カバー部材４を取り外すことにより、側面カバー部材４と一体に保護部材７をホーム柵本体２から取り外すことができるので、安全な場所で保護部材７および認識部９の保守点検を行うことができる。また、保護部材７として、ポリプロピレンからなる植毛テープを用いるようにすれば、ゴムに比べて柔らかいので、保護部材７が扉体３と接触した場合でも、扉体３の損傷を防止することができる。
【００２８】
なお、本発明は上記実施形態に限定されるものではなく、本発明の趣旨に基づいて種々の変形が可能である。
【符号の説明】
【００２９】
１  ホーム柵装置
２  ホーム柵本体
３  扉体
４  側面カバー部材
５  扉用開口
６  支持部材
７  保護部材
８  保護部材支持部
９  認識部
１０  取付部
１２  扉動作報知ランプ
【図１】
2011178356.tif 000003
【図２】
2011178356.tif 000004
【図３】
2011178356.tif 000005